【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第２のデバイスと１つまたは複数の第３のデバイスから同時に、送信機会中に送信されることになる１つまたは複数のストリームを受信するための１つまたは複数の第１のデバイスを識別する第１のメッセージを生成することと、
送信のために前記第１のメッセージを出力することと、
前記１つまたは複数の第３のデバイスのうちの少なくとも１つへの送信のために第１の基準を出力することと、
前記第１の基準を出力した後、前記１つまたは複数の第３のデバイスのうちの少なくとも１つへの送信のために第２の基準を出力することと
を備え、
前記第１の基準と前記第２の基準との間の位相差が、前記送信機会中に前記１つまたは複数の第３のデバイスによって使用するための位相補正を示す、方法。
【請求項２】
ワイヤレス通信のための装置であって、
第２のデバイスと１つまたは複数の第３のデバイスから同時に、送信機会中に送信されることになる１つまたは複数のストリームを受信するための１つまたは複数の第１のデバイスを識別する第１のメッセージを生成するように構成された処理システムと、
インターフェースと
を備え、
前記インターフェースは、
送信のために前記第１のメッセージを出力することと、
前記１つまたは複数の第３のデバイスのうちの少なくとも１つへの送信のために第１の基準を出力することと、
前記第１の基準を出力した後、前記１つまたは複数の第３のデバイスのうちの少なくとも１つへの送信のために第２の基準を出力することと
を行うように構成され、
前記第１の基準と前記第２の基準との間の位相差が、前記送信機会中に前記１つまたは複数の第３のデバイスによって使用するための位相補正を示す、装置。
【請求項３】
前記装置は、前記第２のデバイスおよび前記１つまたは複数の第３のデバイスのうちの１つである、請求項２に記載の装置。
【請求項４】
前記送信機会は、分散型多元接続多入力多出力（ＭＩＭＯ）を用いる、請求項２に記載の装置。
【請求項５】
前記第１のメッセージは、ヌルデータパケット告知（ＮＤＰＡ）である、請求項２に記載の装置。
【請求項６】
前記処理システムは、アンテナのアレイ上での送信のためにデータをプリコーディングするようにさらに構成され、前記アンテナのアレイは、前記第２のデバイスのアンテナと、前記１つまたは複数の第３のデバイスのアンテナとを備える、請求項２に記載の装置。
【請求項７】
前記１つまたは複数のストリームのうちの少なくとも１つが、前記第２のデバイスおよび前記１つまたは複数の第３のデバイスによって同時に出力される、請求項２に記載の装置。
【請求項８】
前記インターフェースは、前記送信機会のサウンディング期間中にヌルデータパケット送信として前記１つまたは複数のストリームを出力するようにさらに構成される、請求項２に記載の装置。
【請求項９】
前記装置は、前記第２のデバイスであり、前記インターフェースは、前記１つまたは複数の第３のデバイスがヌルデータパケット送信を出力するのと同時に、前記ヌルデータパケット送信を出力するようにさらに構成される、請求項８に記載の装置。
【請求項１０】
前記インターフェースは、前記送信機会のデータ送信期間中にデータ送信として前記１つまたは複数のストリームを出力するようにさらに構成される、請求項２に記載の装置。
【請求項１１】
前記処理システムは、ヌルデータパケット送信である第２のメッセージを生成するようにさらに構成され、
前記インターフェースは、前記第１のメッセージを出力した後に、送信のために前記第２のメッセージを出力するようにさらに構成される、請求項２に記載の装置。
【請求項１２】
前記インターフェースは、送信のために前記第１のメッセージを出力した後であるが、前記１つまたは複数の第１のデバイスが前記１つまたは複数のストリームを受信する前に、送信のために前記第１の基準を出力するように構成される、請求項２に記載の装置。
【請求項１３】
前記第１の基準は、前記第２のデバイスの位相、前記第２のデバイスのタイミング、および前記第２のデバイスの周波数のうちの少なくとも１つを示す、請求項２に記載の装置。
【請求項１４】
前記インターフェースは、送信のために前記第１の基準を周期的に出力するように構成される、請求項２に記載の装置。
【請求項１５】
前記処理システムは、前記１つまたは複数の第１のデバイスがいつフィードバックを送信すべきかを示すトリガメッセージを生成するようにさらに構成され、
前記インターフェースは、前記１つまたは複数の第１のデバイスへの送信のために前記トリガメッセージを出力するようにさらに構成される、請求項２に記載の装置。
【請求項１６】
前記トリガメッセージは、前記１つまたは複数の第１のデバイスが、前記フィードバックを同時に送信すべきか、あるいは前記フィードバックを非同時に送信すべきかをさらに示す、請求項１５に記載の装置。
【請求項１７】
アクセスポイントであって、
送信のために第１のメッセージを生成することと、前記第１のメッセージは、第２のデバイスと１つまたは複数の第３のデバイスから同時に、送信機会中に送信されることになる１つまたは複数のストリームを受信するための１つまたは複数の第１のデバイスを識別し、
前記１つまたは複数の第３のデバイスのうちの少なくとも１つへの送信のために第１の基準を生成することと、
前記第１の基準を出力した後、前記１つまたは複数の第３のデバイスのうちの少なくとも１つへの送信のために第２の基準を生成することと
を行うように構成された処理システムと、
ここにおいて、前記第１の基準と前記第２の基準との間の位相差が、前記送信機会中に前記１つまたは複数の第３のデバイスによって使用するための位相補正を示し、
前記第１のメッセージ、前記第１の基準、および前記第２の基準を送信するように構成された送信機と
を備えるアクセスポイント。
【手続補正２】
【補正対象書類名】明細書
【補正対象項目名】０１５５
【補正方法】変更
【補正の内容】
【０１５５】
[00168]  特許請求の範囲は、上記に例示された厳密な構成およびコンポーネントに限定されないことを理解されたい。様々な修正、変更、および変形が、特許請求の範囲から逸脱することなく、上記で説明されたシステム、方法、および装置の配置、動作および詳細において行われ得る。
以下に、本願の出願当初の特許請求の範囲に記載された発明を付記する。
［Ｃ１］
ワイヤレス通信の方法であって、
第１のメッセージを生成することと、前記第１のメッセージは、第２のデバイスと１つまたは複数の第３のデバイスから同時に、送信機会中に送信されることになる１つまたは複数のストリームを受信するための１つまたは複数の第１のデバイスを識別し、
送信のために前記第１のメッセージを出力することと
を備える方法。
［Ｃ２］
送信のために前記第１のメッセージを出力することは、前記第２のデバイスおよび前記１つまたは複数の第３のデバイスのうちの少なくとも１つへのものである、Ｃ１に記載の方法。
［Ｃ３］
送信のために前記第１のメッセージを出力することは、前記１つまたは複数の第１のデバイスへのものである、Ｃ１に記載の方法。
［Ｃ４］
前記第１のメッセージを生成することおよび前記第１のメッセージを出力することは、前記第２のデバイスおよび前記１つまたは複数の第３のデバイスのうちの１つによって行われる、Ｃ１に記載の方法。
［Ｃ５］
前記第２のデバイスは、マスタアクセスポイントであり、前記１つまたは複数の第３のデバイスは、スレーブアクセスポイントである、Ｃ４に記載の方法。
［Ｃ６］
前記第２のデバイスおよび前記１つまたは複数の第３のデバイスは、スレーブアクセスポイントである、Ｃ１に記載の方法。
［Ｃ７］
前記送信機会は、分散型多元接続多入力多出力（ＭＩＭＯ）を用いる、Ｃ１に記載の方法。
［Ｃ８］
前記第１のメッセージは、ヌルデータパケット告知（ＮＤＰＡ）である、Ｃ１に記載の方法。
［Ｃ９］
アンテナのアレイ上での送信のためにデータをプリコーディングすることをさらに備え、ここにおいて、前記アンテナのアレイは、前記第２のデバイスのアンテナと、前記１つまたは複数の第３のデバイスのアンテナとを備える、Ｃ１に記載の方法。
［Ｃ１０］
前記１つまたは複数のストリームのうちの少なくとも１つが、前記第２のデバイスおよび前記１つまたは複数の第３のデバイスによって同時に出力される、Ｃ１に記載の方法。
［Ｃ１１］
前記１つまたは複数のストリームは、前記送信機会のサウンディング期間中にヌルデータパケット送信として出力される、Ｃ１に記載の方法。
［Ｃ１２］
前記第２のデバイスは、前記１つまたは複数の第３のデバイスがヌルデータパケット送信を出力するのと同時に、前記ヌルデータパケット送信を出力する、Ｃ１１に記載の方法。
［Ｃ１３］
前記１つまたは複数のストリームは、前記送信機会のデータ送信期間中にデータ送信として出力される、Ｃ１に記載の方法。
［Ｃ１４］
ヌルデータパケット送信である第２のメッセージを生成することと、
前記第１のメッセージが送信のために出力された後に、送信のために前記第２のメッセージを出力することと
をさらに備える、Ｃ１に記載の方法。
［Ｃ１５］
前記１つまたは複数の第３のデバイスのうちの少なくとも１つへの送信のために第１の基準を出力することをさらに備える、Ｃ１に記載の方法。
［Ｃ１６］
前記第１の基準は、前記第１のメッセージが送信のために出力された後であるが、前記１つまたは複数の第１のデバイスが前記１つまたは複数のストリームを受信する前に、送信のために出力される、Ｃ１５に記載の方法。
［Ｃ１７］
前記第１の基準は、前記第２のデバイスの位相、前記第２のデバイスのタイミング、および前記第２のデバイスの周波数のうちの少なくとも１つを示す、Ｃ１５に記載の方法。
［Ｃ１８］
送信のために前記第１の基準を出力することは周期的である、Ｃ１５に記載の方法。
［Ｃ１９］
前記第１の基準を出力した後、前記１つまたは複数の第３のデバイスのうちの少なくとも１つへの送信のために第２の基準を出力することをさらに備える、Ｃ１５に記載の方法。
［Ｃ２０］
前記第１の基準と前記第２の基準との間の位相差が、前記送信機会中に前記１つまたは複数の第３のデバイスによって使用するための位相補正を示す、Ｃ１９に記載の方法。
［Ｃ２１］
前記１つまたは複数の第１のデバイスがいつフィードバックを送信すべきかを示すトリガメッセージを生成することと、
前記１つまたは複数の第１のデバイスへの送信のために前記トリガメッセージを出力することと
をさらに備える、Ｃ１に記載の方法。
［Ｃ２２］
前記トリガメッセージは、前記１つまたは複数の第１のデバイスが、前記フィードバックを同時に送信すべきか、あるいは前記フィードバックを非同時に送信すべきかをさらに示す、Ｃ２１に記載の方法。
［Ｃ２３］
ワイヤレス通信のための装置であって、
第１のメッセージを生成するように構成された処理システムと、前記第１のメッセージは、第２のデバイスと１つまたは複数の第３のデバイスから同時に、送信機会中に送信されることになる１つまたは複数のストリームを受信するための１つまたは複数の第１のデバイスを識別し、
送信のために前記第１のメッセージを出力するためのインターフェースと
を備える装置。
［Ｃ２４］
前記インターフェースは、前記第２のデバイスおよび前記１つまたは複数の第３のデバイスのうちの少なくとも１つへの送信のために前記第１のメッセージを出力する、Ｃ２３に記載の装置。
［Ｃ２５］
前記インターフェースは、前記１つまたは複数の第１のデバイスへの送信のために前記第１のメッセージを出力する、Ｃ２３に記載の装置。
［Ｃ２６］
前記装置は、前記第２のデバイスおよび前記１つまたは複数の第３のデバイスのうちの１つである、Ｃ２３に記載の装置。
［Ｃ２７］
前記第２のデバイスは、マスタアクセスポイントであり、前記１つまたは複数の第３のデバイスは、スレーブアクセスポイントである、Ｃ２６に記載の装置。
［Ｃ２８］
前記第２のデバイスおよび前記１つまたは複数の第３のデバイスは、スレーブアクセスポイントである、Ｃ２３に記載の装置。
［Ｃ２９］
前記送信機会は、分散型多元接続多入力多出力（ＭＩＭＯ）を用いる、Ｃ２３に記載の装置。
［Ｃ３０］
前記第１のメッセージは、ヌルデータパケット告知（ＮＤＰＡ）である、Ｃ２３に記載の装置。
［Ｃ３１］
前記処理システムは、アンテナのアレイ上での送信のためにデータをプリコーディングするようにさらに構成され、前記アンテナのアレイは、前記第２のデバイスのアンテナと、前記１つまたは複数の第３のデバイスのアンテナとを備える、Ｃ２３に記載の装置。
［Ｃ３２］
前記１つまたは複数のストリームのうちの少なくとも１つが、前記第２のデバイスおよび前記１つまたは複数の第３のデバイスによって同時に出力される、Ｃ２３に記載の装置。
［Ｃ３３］
前記インターフェースは、前記送信機会のサウンディング期間中にヌルデータパケット送信として前記１つまたは複数のストリームを出力するようにさらに構成される、Ｃ２３に記載の装置。
［Ｃ３４］
前記装置は、前記第２のデバイスであり、前記インターフェースは、前記１つまたは複数の第３のデバイスがヌルデータパケット送信を出力するのと同時に、前記ヌルデータパケット送信を出力するようにさらに構成される、Ｃ３３に記載の装置。
［Ｃ３５］
前記インターフェースは、前記送信機会のデータ送信期間中にデータ送信として前記１つまたは複数のストリームを出力するようにさらに構成される、Ｃ２３に記載の装置。
［Ｃ３６］
前記処理システムは、ヌルデータパケット送信である第２のメッセージを生成するようにさらに構成され、
前記インターフェースは、前記第１のメッセージを出力した後に、送信のために前記第２のメッセージを出力するようにさらに構成される、Ｃ２３に記載の装置。
［Ｃ３７］
前記インターフェースは、前記１つまたは複数の第３のデバイスのうちの少なくとも１つへの送信のために第１の基準を出力するようにさらに構成される、Ｃ２３に記載の装置。
［Ｃ３８］
前記インターフェースは、送信のために前記第１のメッセージを出力した後であるが、前記１つまたは複数の第１のデバイスが前記１つまたは複数のストリームを受信する前に、送信のために前記第１の基準を出力するように構成される、Ｃ３７に記載の装置。
［Ｃ３９］
前記第１の基準は、前記第２のデバイスの位相、前記第２のデバイスのタイミング、および前記第２のデバイスの周波数のうちの少なくとも１つを示す、Ｃ３７に記載の装置。
［Ｃ４０］
前記インターフェースは、送信のために前記第１の基準を周期的に出力するように構成される、Ｃ３７に記載の装置。
［Ｃ４１］
前記インターフェースは、前記第１の基準を出力した後、前記１つまたは複数の第３のデバイスのうちの少なくとも１つへの送信のために第２の基準を出力するようにさらに構成される、Ｃ３７に記載の装置。
［Ｃ４２］
前記第１の基準と前記第２の基準との間の位相差が、前記送信機会中に前記１つまたは複数の第３のデバイスによって使用するための位相補正を示す、Ｃ４１に記載の装置。
［Ｃ４３］
前記処理システムは、前記１つまたは複数の第１のデバイスがいつフィードバックを送信すべきかを示すトリガメッセージを生成するようにさらに構成され、
前記インターフェースは、前記１つまたは複数の第１のデバイスへの送信のために前記トリガメッセージを出力するようにさらに構成される、Ｃ２３に記載の装置。
［Ｃ４４］
前記トリガメッセージは、前記１つまたは複数の第１のデバイスが、前記フィードバックを同時に送信すべきか、あるいは前記フィードバックを非同時に送信すべきかをさらに示す、Ｃ４３に記載の装置。
［Ｃ４５］
ワイヤレス送信のための装置であって、
第１のメッセージを生成するための手段と、前記第１のメッセージは、第２のデバイスと１つまたは複数の第３のデバイスから同時に、送信機会中に送信されることになる１つまたは複数のストリームを受信するための１つまたは複数の第１のデバイスを識別し、  送信のために前記第１のメッセージを出力するための手段と
を備える装置。
［Ｃ４６］
前記出力するための手段は、前記第２のデバイスおよび前記１つまたは複数の第３のデバイスのうちの少なくとも１つへの送信のために前記第１のメッセージを出力する、Ｃ４５に記載の装置。
［Ｃ４７］
前記出力するための手段は、前記１つまたは複数の第１のデバイスへの送信のために前記第１のメッセージを出力する、Ｃ４５に記載の装置。
［Ｃ４８］
前記装置は、前記第２のデバイスおよび前記１つまたは複数の第３のデバイスのうちの１つである、Ｃ４５に記載の装置。
［Ｃ４９］
前記第２のデバイスは、マスタアクセスポイントであり、前記１つまたは複数の第３のデバイスは、スレーブアクセスポイントである、Ｃ４８に記載の装置。
［Ｃ５０］
前記第２のデバイスおよび前記１つまたは複数の第３のデバイスは、スレーブアクセスポイントである、Ｃ４５に記載の装置。
［Ｃ５１］
前記送信機会は、分散型多元接続多入力多出力（ＭＩＭＯ）を用いる、Ｃ４５に記載の装置。
［Ｃ５２］
前記第１のメッセージは、ヌルデータパケット告知（ＮＤＰＡ）である、Ｃ４５に記載の装置。
［Ｃ５３］
前記生成するための手段は、アンテナのアレイ上での送信のためにデータをプリコーディングするようにさらに構成され、前記アンテナのアレイは、前記第２のデバイスのアンテナと、前記１つまたは複数の第３のデバイスのアンテナとを備える、Ｃ４５に記載の装置。
［Ｃ５４］
前記１つまたは複数のストリームのうちの少なくとも１つが、前記第２のデバイスおよび前記１つまたは複数の第３のデバイスによって同時に出力される、Ｃ４５に記載の装置。
［Ｃ５５］
前記出力するための手段は、前記送信機会のサウンディング期間中にヌルデータパケット送信として前記１つまたは複数のストリームを出力するようにさらに構成される、Ｃ４５に記載の装置。
［Ｃ５６］
前記装置は、前記第２のデバイスであり、前記出力するための手段は、前記１つまたは複数の第３のデバイスがヌルデータパケット送信を出力するのと同時に、前記ヌルデータパケット送信を出力するようにさらに構成される、Ｃ５５に記載の装置。
［Ｃ５７］
前記出力するための手段は、前記送信機会のデータ送信期間中にデータ送信として前記１つまたは複数のストリームを出力するようにさらに構成される、Ｃ４５に記載の装置。
［Ｃ５８］
前記生成するための手段は、ヌルデータパケット送信である第２のメッセージを生成するようにさらに構成され、
前記出力するための手段は、送信のために前記第１のメッセージを出力した後に、送信のために前記第２のメッセージを出力するようにさらに構成される、Ｃ４５に記載の装置。
［Ｃ５９］
前記出力するための手段は、前記１つまたは複数の第３のデバイスのうちの少なくとも１つへの送信のために第１の基準を出力するようにさらに構成される、Ｃ４５に記載の装置。
［Ｃ６０］
前記出力するための手段は、送信のために前記第１のメッセージを出力した後であるが、前記１つまたは複数の第１のデバイスが前記１つまたは複数のストリームを受信する前に、送信のために前記第１の基準を出力するようにさらに構成される、Ｃ５９に記載の装置。
［Ｃ６１］
前記第１の基準は、前記第２のデバイスの位相、前記第２のデバイスのタイミング、および前記第２のデバイスの周波数のうちの少なくとも１つを示す、Ｃ５９に記載の装置。
［Ｃ６２］
前記出力するための手段は、送信のために前記第１の基準を周期的に出力するように構成される、Ｃ５９に記載の装置。
［Ｃ６３］
前記出力するための手段は、前記第１の基準を出力した後、前記１つまたは複数の第３のデバイスのうちの少なくとも１つへの送信のために第２の基準を出力するようにさらに構成される、Ｃ５９に記載の装置。
［Ｃ６４］
前記第１の基準と前記第２の基準との間の位相差が、前記送信機会中に前記１つまたは複数の第３のデバイスによって使用するための位相補正を示す、Ｃ６３に記載の装置。
［Ｃ６５］
前記生成するための手段は、前記１つまたは複数の第１のデバイスがいつフィードバックを送信すべきかを示すトリガメッセージを生成するようにさらに構成され、
前記出力するための手段は、前記１つまたは複数の第１のデバイスへの送信のために前記トリガメッセージを出力するようにさらに構成される、Ｃ４５に記載の装置。
［Ｃ６６］
前記トリガメッセージは、前記１つまたは複数の第１のデバイスが、前記フィードバックを同時に送信すべきか、あるいは前記フィードバックを非同時に送信すべきかをさらに示す、Ｃ６５に記載の装置。
［Ｃ６７］
アクセスポイントであって、
送信のために第１のメッセージを生成するように構成された処理システムと、前記第１のメッセージは、第２のデバイスと１つまたは複数の第３のデバイスから同時に、送信機会中に送信されることになる１つまたは複数のストリームを受信するための１つまたは複数の第１のデバイスを識別し、
前記第１のメッセージを送信するように構成された送信機と
を備えるアクセスポイント。
［Ｃ６８］
送信のために第１のメッセージを生成することと、前記第１のメッセージは、第２のデバイスと１つまたは複数の第３のデバイスから同時に、送信機会中に送信されることになる１つまたは複数のストリームを受信するための１つまたは複数の第１のデバイスを識別し、
送信のために前記第１のメッセージを出力することと
を備える、ワイヤレス通信の方法を処理することを処理システムに行わせる命令を備えるコンピュータ可読媒体。